(57)【要約】      （修正有）【課題】光ファイバケーブルを流れる光の変化により電線ケーブルの伝送状態を知ることができるケーブルを提供する。【解決手段】ケーブル１０は、第１の接続モジュール１２、伝送モジュール１４及び第２の接続モジュール１６を備える。第１の接続モジュールは、第１の端子１２２、サンプリングユニット１２４及び第１の発光モジュール１２６を有する。第１の端子は、第１のスロット２２に接続される。第１の発光モジュールは、サンプリングユニットに接続される。伝送モジュールは、第１の接続モジュールに接続され、電線ケーブル１４２及び光ファイバケーブル１４４を有する。電線ケーブルの一端は第１の端子に接続され、光ファイバケーブルの一端は第１の発光モジュールに接続される。サンプリングユニットは、電線ケーブルの電流をサンプリングして電圧を発生させ、第１の発光モジュールを駆動して発光させ、光ファイバケーブルに伝達する。【選択図】図１
0003185923.tif 000002
【実用新案登録請求の範囲】
【請求項１】
第１の接続モジュール、伝送モジュール及び第２の接続モジュールを備えたケーブルであって、
前記第１の接続モジュールは、第１の端子、サンプリングユニット及び第１の発光モジュールを有し、前記第１の端子は、第１のスロットに接続され、前記第１の発光モジュールは、前記サンプリングユニットに接続され、
前記伝送モジュールは、前記第１の接続モジュールに接続され、かつ、電線ケーブル及び光ファイバケーブルを有し、前記電線ケーブルの一端は前記第１の端子に接続され、前記光ファイバケーブルの一端は前記第１の発光モジュールに接続され、
前記第２の接続モジュールは、第２の端子及び固定ユニットを有し、前記第２の端子は、前記電線ケーブルの他端に接続され、前記固定ユニットは、前記光ファイバケーブルの他端に固定され、
前記第１の端子と前記第２の端子との間は、前記電線ケーブルを介して電流及びデータが伝送され、前記サンプリングユニットは、前記電線ケーブルの電流をサンプリングしてサンプリング電圧を発生させ、かつ、前記サンプリング電圧を前記第１の発光モジュールへ出力し、前記第１の発光モジュールを駆動して第１の光源を発光させ、前記第１の光源は前記光ファイバケーブルに接続されていることを特徴とするケーブル。
【請求項２】
前記電線ケーブルは、前記光ファイバケーブルの側面の一部に配設されることを特徴とする請求項１に記載のケーブル。
【請求項３】
前記光ファイバケーブルは、側面光ファイバケーブルであり、
前記第１の光源の光の一部が前記側面光ファイバケーブルの側面の内側から外側へ出射されることを特徴とする請求項２に記載のケーブル。
【請求項４】
前記第１の発光モジュールは、複数の発光ユニット及び駆動ユニットを含み、
前記駆動ユニットは、前記発光ユニット及び前記サンプリングユニットに接続され、かつ、前記サンプリング電圧の電圧値により前記発光ユニットのうちの１つへ切換えて前記第１の光源を発光させることを特徴とする請求項３に記載のケーブル。
【請求項５】
前記第２の接続モジュールは、第２の発光モジュールを含み、
前記第２の発光モジュールには、前記電線ケーブルが接続され、
前記電線ケーブルの電流により前記第２の発光モジュールを駆動して第２の光源を発光させることを特徴とする請求項３に記載のケーブル。
【請求項６】
前記第２の接続モジュールは、タッチユニットを含み、
前記タッチユニットと前記第２の発光モジュールとが接続され、
前記タッチユニットにユーザが触ると、前記タッチユニットにタッチ信号が発生し、前記タッチ信号が前記第２の発光モジュールへ伝送され、前記第２の発光モジュールが前記タッチ信号を受信したときに前記第２の光源を発光させるか発光させないことを特徴とする請求項５に記載のケーブル。
【請求項７】
前記第１の端子及び前記第２の端子は、ＩＥＥＥ１３９４、ユニバーサルシリアルバス、マイクロＵＳＢ、ミニＵＳＢ、（公序良俗違反につき、不掲載）又は（公序良俗違反につき、不掲載）の標準規格にそれぞれ準拠することを特徴とする請求項１に記載のケーブル。
【考案の詳細な説明】
【技術分野】
【０００１】
本考案は、ケーブルに関し、特に、光ファイバケーブルにより電線ケーブルの伝送状態を知ることができるケーブルに関する。
【背景技術】
【０００２】
従来、複数の電子機器間では、ケーブルを介してデータを送受信したり電流を流したりする。電子機器とは、例えば、携帯型電源、モバイル機器、タブレット型パソコン、充電器、キーボード、マウスなどである。例えば、これらの電子機器を携帯型電源及びモバイル機器を例にとり説明すると、携帯型電源とモバイル機器とを接続した後、携帯型電源の電流がケーブルを介してモバイル機器に供給され、携帯型電源によりモバイル機器の充電を行う。
【０００３】
しかし、ユーザは、携帯型電源からモバイル機器に電流が供給されているか否かを知るために、モバイル機器の表示ランプ又はスクリーンに表示された内容を見て確認する必要があった。しかし、このような確認動作は、ユーザにとって非常に不便であった。
【０００４】
そのため、従来技術の問題点を解決する技術が求められていた。
【考案の概要】
【考案が解決しようとする課題】
【０００５】
本考案の第１の目的は、電線ケーブルに電流が流れると、電線ケーブルを流れる電流に対応して変化する光が光ファイバケーブルにより伝達されるか、電線ケーブルによりデータが伝送されると、電線ケーブルを伝送するデータに対応して変化する光が光ファイバケーブルにより伝達されるケーブルを提供することにある。
【０００６】
本考案の第２の目的は、電線ケーブルを流れる電流の大きさに応じて、光源が異なる色及び／又は周波数で発光し、光ファイバケーブルの光の変化に基づき電流の大きさを判断することができるケーブルを提供することにある。
【０００７】
本考案の第３の目的は、電線ケーブル中の異なるデータの電圧電位に応じて、光源が異なる色及び／又は周波数で発光し、光ファイバケーブルの光の変化によりデータ通信の速度を判断することができるケーブルを提供することにある。
【０００８】
本考案の第４の目的は、光強度が弱い環境下でも、第１の接続モジュールが出射する光及び／又は第２の接続モジュールが出射する光を利用し、ユーザは電子機器と容易に接続することができるケーブルを提供することにある。
【０００９】
本考案の第５の目的は、ユーザがタッチユニットに触れることにより、第１の接続モジュールを駆動させて発光及び／又は第２の接続モジュールを駆動させて発光させるケーブルを提供することにある。
【課題を解決するための手段】
【００１０】
上記課題を解決するために、本考案の第１の形態によれば、第１の接続モジュール、伝送モジュール及び第２の接続モジュールを備えたケーブルであって、前記第１の接続モジュールは、第１の端子、サンプリングユニット及び第１の発光モジュールを有し、前記第１の端子は、第１のスロットに接続され、前記第１の発光モジュールは、前記サンプリングユニットに接続され、前記伝送モジュールは、前記第１の接続モジュールに接続され、かつ、電線ケーブル及び光ファイバケーブルを有し、前記電線ケーブルの一端は前記第１の端子に接続され、前記光ファイバケーブルの一端は前記第１の発光モジュールに接続され、前記第２の接続モジュールは、第２の端子及び固定ユニットを有し、前記第２の端子は、前記電線ケーブルの他端に接続され、前記固定ユニットは、前記光ファイバケーブルの他端に固定され、前記第１の端子と前記第２の端子との間は、前記電線ケーブルを介して電流及びデータが伝送され、前記サンプリングユニットは、前記電線ケーブルの電流をサンプリングしてサンプリング電圧を発生させ、かつ、前記サンプリング電圧を前記第１の発光モジュールへ出力し、前記第１の発光モジュールを駆動して第１の光源を発光させ、前記第１の光源は前記光ファイバケーブルに接続されていることを特徴とするケーブルが提供される。
【００１１】
前記電線ケーブルは、前記光ファイバケーブルの側面の一部に配設されることが好ましい。
【００１２】
前記光ファイバケーブルは、側面光ファイバケーブルであり、前記第１の光源の光の一部が前記側面光ファイバケーブルの側面の内側から外側へ出射されることが好ましい。
【００１３】
前記第１の発光モジュールは、複数の発光ユニット及び駆動ユニットを含み、前記駆動ユニットは、前記発光ユニット及び前記サンプリングユニットに接続され、かつ、前記サンプリング電圧の電圧値により前記発光ユニットのうちの１つへ切換えて前記第１の光源を発光させることが好ましい。
【００１４】
前記第２の接続モジュールは、第２の発光モジュールを含み、前記第２の発光モジュールには、前記電線ケーブルが接続され、前記電線ケーブルの電流により前記第２の発光モジュールを駆動して第２の光源を発光させることが好ましい。
【００１５】
前記第２の接続モジュールは、タッチユニットを含み、前記タッチユニットと前記第２の発光モジュールとが接続され、前記タッチユニットにユーザが触ると、前記タッチユニットにタッチ信号が発生し、前記タッチ信号が前記第２の発光モジュールへ伝送され、前記第２の発光モジュールが前記タッチ信号を受信したときに前記第２の光源を発光させるか発光させないことが好ましい。
【００１６】  前記第１の端子及び前記第２の端子は、ＩＥＥＥ１３９４、ユニバーサルシリアルバス、マイクロＵＳＢ、ミニＵＳＢ、（公序良俗違反につき、不掲載）又は（公序良俗違反につき、不掲載）の標準規格にそれぞれ準拠することが好ましい。
【考案の効果】
【００１７】
本考案のケーブルは、従来技術と比べ、ユーザがケーブルを直接見るだけで、電子機器に電流及びデータが伝送中であるか、電流及びデータの伝送が終了したかを確認することができる。
【図面の簡単な説明】
【００１８】
【図１】図１は、本考案の第１実施形態に係るケーブルを示すブロック図である。
【図２】図２は、本考案の第１実施形態に係る電線ケーブルと光ファイバケーブルを示す斜視図である。
【図３】図３は、本考案の第２実施形態に係るケーブルの第２の接続モジュールを示すブロック図である。
【図４】図４は、本考案の第３実施形態に係るケーブルの第２の接続モジュールを示すブロック図である。
【考案を実施するための形態】
【００１９】
以下、本考案の実施形態について図に基づいて説明する。なお、これによって本考案が限定されるものではない。
【００２０】  〔第１実施形態〕  図１を参照する。図１は、本考案の第１実施形態に係るケーブルを示すブロック図である。図１に示すように、本考案の第１実施形態に係るケーブル１０は、第１の電子機器２と第２の電子機器４とを接続するために用いる。第１の電子機器２、第２の電子機器４は、例えば携帯型電源、モバイル機器、タブレット型パソコン又は充電器でもよい。第１実施形態の第１の電子機器２は第１のスロット２２を有し、第２の電子機器４は第２のスロット４２を有する。第１のスロット２２及び第２のスロット４２は、ＩＥＥＥ１３９４、ユニバーサルシリアルバス（ｕｎｉｖｅｒｓａｌ  ｓｅｒｉａｌ  ｂｕｓ；ＵＳＢ）、マイクロＵＳＢ（ｍｉｃｒｏ  ＵＳＢ）、ミニＵＳＢ（ｍｉｎｉ  ＵＳＢ）、（公序良俗違反につき、不掲載）及び（公序良俗違反につき、不掲載）のうちの１つの標準規格にそれぞれ準拠する。第１実施形態では、第１のスロット２２及び第２のスロット４２がユニバーサルシリアルバスである場合を例にとり説明する。ユニバーサルシリアルバスは、電源線Ｖｂｕｓ、正極端データ線Ｄ＋、負極端データ線Ｄ−及び接地線ＧＮＤの４本の導線を含む。電源線Ｖｂｕｓと接地線との組み合わせにより構成された伝送回路により電流Ｉを流す。正極端データ線Ｄ＋と負極端データ線Ｄ−との組み合わせにより構成されたもう一つの伝送回路によりデータＤＡを伝送する。
【００２１】
ケーブル１０は、第１の接続モジュール１２、伝送モジュール１４及び第２の接続モジュール１６を含む。伝送モジュール１４は、第１の接続モジュール１２及び第２の接続モジュール１６と接続される。
【００２２】
第１のスロット２２と第１の接続モジュール１２とが接続され、第２のスロット４２と第２の接続モジュール１６とが接続された後、第１のスロット２２の電流Ｉ及びデータＤＡが第１の接続モジュール１２、伝送モジュール１４及び第２の接続モジュール１６から第２のスロット４２へ送られる。反対に、第２のスロット４２の電流Ｉ及びデータＤＡは、第２の接続モジュール１６、伝送モジュール１４及び第１の接続モジュール１２から第１のスロット２２へ伝送される。
【００２３】
第１の接続モジュール１２は、第１の端子１２２、サンプリングユニット１２４及び第１の発光モジュール１２６を含む。第１の端子１２２は、第１のスロット２２と接続される。サンプリングユニット１２４は、第１の端子１２２と接続される。第１の発光モジュール１２６は、サンプリングユニット１２４と接続される。
【００２４】
第１の端子１２２の通信標準規格は第１のスロット２２の通信標準規格と同じであり、第１のスロット２２の電源線Ｖｂｕｓの電流Ｉと第１のスロット２２の正極端データ線Ｄ＋のデータＤＡとが第１の端子１２２へそれぞれ伝送される。第１実施形態では、第１の端子１２２がユニバーサルシリアルバスである場合を例にとり説明する。
【００２５】
サンプリングユニット１２４は、第１の端子１２２からサンプリングとして電流Ｉをサンプリングし、サンプリングユニット１２４上には、電流Ｉに対応したサンプリング電圧Ｖｓａｍｐｌｅが発生する。第１実施形態では、サンプリングユニット１２４が抵抗である場合を例にとり説明する。そのため、抵抗と第１の端子１２２の電源線Ｖｂｕｓとが直列接続された後、電流Ｉにより抵抗にサンプリング電圧Ｖｓａｍｐｌｅが発生する。
【００２６】
第１の発光モジュール１２６は、サンプリングユニット１２４に接続され、サンプリングユニット１２４からサンプリング電圧Ｖｓａｍｐｌｅが供給される。第１の発光モジュール１２６は、駆動回路１２６２及び発光ユニット１２６４を含む。駆動回路１２６２にサンプリング電圧Ｖｓａｍｐｌｅが供給されると、駆動回路１２６２により発光ユニット１２６４を駆動して第１の光源ＦＬを発光させる。発光ユニット１２６４の個数は、単数でもよいし複数でもよい。発光ユニット１２６４の個数が複数である場合、複数の発光ユニット１２６４が異なる波長の光源を発生させると、駆動回路１２６２は、サンプリング電圧Ｖｓａｍｐｌｅの電圧値により、複数の発光ユニット１２６４のうちの一つにより第１の光源ＦＬを発光させる。そのため、サンプリング電圧Ｖｓａｍｐｌｅに応じて異なる発光ユニット１２６４から異なる波長を有する第１の光源ＦＬの光が出射され、ユーザは異なる波長を有する第１の光源ＦＬにより、現在のサンプリング電圧Ｖｓａｍｐｌｅの電圧値を間接的に確認することができる。
【００２７】
伝送モジュール１４は、電線ケーブル１４２及び光ファイバケーブル１４４を含む。電線ケーブル１４２の一端は第１の端子１２２に接続され、光ファイバケーブル１４４の一端は発光ユニット１２６４に接続される。
【００２８】
第２の接続モジュール１６は、第２の端子１６２及び固定ユニット１６４を含む。
【００２９】
第２の端子１６２は、電線ケーブル１４２の他端及び第２のスロット４２に接続される。第２の端子１６２の通信標準規格と第２のスロット４２の通信標準規格は同じであり、電線ケーブル１４２の電流Ｉ及びデータＤＡが、第２の端子１６２から第２のスロット４２へ伝送される。第１実施形態では、第２の端子１６２がユニバーサルシリアルバスである場合を例にとり説明する。
【００３０】
固定ユニット１６４により、光ファイバケーブル１４４の他端は第２の接続モジュール１６に固定される。
【００３１】
図２を併せて参照する。図２に示すように、電線ケーブル１４２が光ファイバケーブル１４４の側面の一部に配設される。第１の光源ＦＬは、光ファイバケーブル１４４の伝送過程において、第１の光源ＦＬの一部が光ファイバケーブル１４４の内部から外部へ出射される。ユーザは、光ファイバケーブル１４４から出射された第１の光源ＦＬにより、電線ケーブル１４２に電流Ｉが存在するか否かを間接的に確認することができる。
【００３２】
第１実施形態において、光ファイバケーブル１４４が側面光ファイバである場合を例にとり説明する。第１の光源ＦＬが側面光ファイバへ入射した後、第１の光源ＦＬの一部が側面のファイバに沿って固定ユニット１６４へ伝送され、第１の光源ＦＬの残部が側面光ファイバの内側から外側へ出射される。
【００３３】
〔第２実施形態〕
図３を参照する。図３は、本考案の第２実施形態に係るケーブルの第２の接続モジュールを示すブロック図である。図３に示すように、第２の接続モジュール１６’は、第２の端子１６２、固定ユニット１６４及び第２の発光モジュール１６６を含む。第２の端子１６２は、電線ケーブル１４２に接続され、固定ユニット１６４に光ファイバケーブル１４４が固定される。第２の発光モジュール１６６は、電線ケーブル１４２の電源線Ｖｂｕｓに接続される。
【００３４】
第２の発光モジュール１６６が電源線Ｖｂｕｓに接続された後、電源線Ｖｂｕｓの電流Ｉにより第２の発光モジュール１６６を駆動し、第２の光源ＳＬを発光させる。
【００３５】
〔第３実施形態〕
図４を参照する。図４は、本考案の第３実施形態に係るケーブルの第２の接続モジュールを示すブロック図である。図４に示すように、第２の接続モジュール１６’’は、第２の端子１６２、固定ユニット１６４、第２の発光モジュール１６６及びタッチユニット１６８を含む。第２の端子１６２には、電源線Ｖｂｕｓが接続され、固定ユニット１６４には、光ファイバケーブル１４４が固定される。第２の発光モジュール１６６は、電線ケーブル１４２及びタッチユニット１６８に接続される。ユーザがタッチユニット１６８に触れると、タッチユニット１６８にタッチ信号ＴＳが発生する。
【００３６】
第２の発光モジュール１６６に電線ケーブル１４２の電流Ｉが供給され、第２の発光モジュール１６６にタッチ信号ＴＳが供給されると、第２の発光モジュール１６６が第２の光源ＳＬを発光させる。言い換えると、第２の発光モジュール１６６に電流Ｉ及びタッチ信号ＴＳが供給されない場合、第２の光源ＳＬを発光させたりすることがない。反対に、第２の発光モジュール１６６に電流Ｉ及びタッチ信号ＴＳのうちの１つだけが供給される場合、第２の発光モジュール１６６は、第２の光源ＳＬを発光させたりすることがない。
【００３７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の特許請求の範囲は、このような変更や修正を含めて広く解釈されるべきである。
【符号の説明】
【００３８】
２        第１の電子機器
４        第２の電子機器
１０      ケーブル
１２      第１の接続モジュール
１４      伝送モジュール
１６      第２の接続モジュール
１６’    第２の接続モジュール
１６’’  第２の接続モジュール
２２      第１のスロット
４２      第２のスロット
１２２    第１の端子
１２４    サンプリングユニット
１２６    第１の発光モジュール
１４２    電線ケーブル
１４４    光ファイバケーブル
１６２    第２の端子
１６４    固定ユニット
１６６    第２の発光モジュール
１６８    タッチユニット
１２６２  駆動回路
１２６４  発光ユニット
Ｉ        電流
Ｄ＋      正極端データ線
Ｄ−      負極端データ線
ＤＡ      データ
ＦＬ      第１の光源
ＧＮＤ    接地線
ＳＬ      第２の光源
ＴＳ      タッチ信号
Ｖｓａｍｐｌｅ  サンプリング電圧
Ｖｂｕｓ      電源線
【図１】
0003185923.tif 000003
【図２】
0003185923.tif 000004
【図３】
0003185923.tif 000005
【図４】
0003185923.tif 000006
【手続補正書】
【提出日】平成25年7月5日(2013.7.5)
【手続補正１】
【補正対象書類名】実用新案登録請求の範囲
【補正対象項目名】全文
【補正方法】変更
【補正の内容】
【実用新案登録請求の範囲】
【請求項１】
第１の接続モジュール、伝送モジュール及び第２の接続モジュールを備えたケーブルであって、
前記第１の接続モジュールは、第１の端子、サンプリングユニット及び第１の発光モジュールを有し、前記第１の端子は、第１のスロットに接続され、前記第１の発光モジュールは、前記サンプリングユニットに接続され、
前記伝送モジュールは、前記第１の接続モジュールに接続され、かつ、電線ケーブル及び光ファイバケーブルを有し、前記電線ケーブルの一端は前記第１の端子に接続され、前記光ファイバケーブルの一端は前記第１の発光モジュールに接続され、
前記第２の接続モジュールは、第２の端子及び固定ユニットを有し、前記第２の端子は、前記電線ケーブルの他端に接続され、前記固定ユニットは、前記光ファイバケーブルの他端に固定され、
前記第１の端子と前記第２の端子との間は、前記電線ケーブルを介して電流及びデータが伝送され、前記サンプリングユニットは、前記電線ケーブルの電流をサンプリングしてサンプリング電圧を発生させ、かつ、前記サンプリング電圧を前記第１の発光モジュールへ出力し、前記第１の発光モジュールを駆動して第１の光源を発光させ、前記第１の光源は前記光ファイバケーブルに接続されていることを特徴とするケーブル。
【請求項２】
前記電線ケーブルは、前記光ファイバケーブルの側面の一部に配設されることを特徴とする請求項１に記載のケーブル。
【請求項３】
前記光ファイバケーブルは、側面光ファイバケーブルであり、
前記第１の光源の光の一部が前記側面光ファイバケーブルの側面の内側から外側へ出射されることを特徴とする請求項２に記載のケーブル。
【請求項４】
前記第１の発光モジュールは、複数の発光ユニット及び駆動ユニットを含み、
前記駆動ユニットは、前記発光ユニット及び前記サンプリングユニットに接続され、かつ、前記サンプリング電圧の電圧値により前記発光ユニットのうちの１つへ切換えて前記第１の光源を発光させることを特徴とする請求項３に記載のケーブル。
【請求項５】
前記第２の接続モジュールは、第２の発光モジュールを含み、
前記第２の発光モジュールには、前記電線ケーブルが接続され、
前記電線ケーブルの電流により前記第２の発光モジュールを駆動して第２の光源を発光させることを特徴とする請求項３に記載のケーブル。
【請求項６】
前記第２の接続モジュールは、タッチユニットを含み、
前記タッチユニットと前記第２の発光モジュールとが接続され、
前記タッチユニットにユーザが触ると、前記タッチユニットにタッチ信号が発生し、前記タッチ信号が前記第２の発光モジュールへ伝送され、前記第２の発光モジュールが前記タッチ信号を受信したときに前記第２の光源を発光させるか発光させないことを特徴とする請求項５に記載のケーブル。
【請求項７】
前記第１の端子及び前記第２の端子は、ＩＥＥＥ１３９４、ユニバーサルシリアルバス、マイクロＵＳＢ、ミニＵＳＢ、３０ピンドック又はｌｉｇｈｔｎｉｎｇの標準規格にそれぞれ準拠することを特徴とする請求項１に記載のケーブル。
【手続補正２】
【補正対象書類名】明細書
【補正対象項目名】００１６
【補正方法】変更
【補正の内容】
【００１６】
前記第１の端子及び前記第２の端子は、ＩＥＥＥ１３９４、ユニバーサルシリアルバス、マイクロＵＳＢ、ミニＵＳＢ、３０ピンドック又はｌｉｇｈｔｎｉｎｇの標準規格にそれぞれ準拠することが好ましい。
【手続補正３】
【補正対象書類名】明細書
【補正対象項目名】００２０
【補正方法】変更
【補正の内容】
【００２０】
〔第１実施形態〕
図１を参照する。図１は、本考案の第１実施形態に係るケーブルを示すブロック図である。図１に示すように、本考案の第１実施形態に係るケーブル１０は、第１の電子機器２と第２の電子機器４とを接続するために用いる。第１の電子機器２、第２の電子機器４は、例えば携帯型電源、モバイル機器、タブレット型パソコン又は充電器でもよい。第１実施形態の第１の電子機器２は第１のスロット２２を有し、第２の電子機器４は第２のスロット４２を有する。第１のスロット２２及び第２のスロット４２は、ＩＥＥＥ１３９４、ユニバーサルシリアルバス（ｕｎｉｖｅｒｓａｌ  ｓｅｒｉａｌ  ｂｕｓ；ＵＳＢ）、マイクロＵＳＢ（ｍｉｃｒｏ  ＵＳＢ）、ミニＵＳＢ（ｍｉｎｉ  ＵＳＢ）、３０ピンドック（３０−ｐｉｎ  ｄｏｃｋ）及びｌｉｇｈｔｎｉｎｇのうちの１つの標準規格にそれぞれ準拠する。第１実施形態では、第１のスロット２２及び第２のスロット４２がユニバーサルシリアルバスである場合を例にとり説明する。ユニバーサルシリアルバスは、電源線Ｖｂｕｓ、正極端データ線Ｄ＋、負極端データ線Ｄ−及び接地線ＧＮＤの４本の導線を含む。電源線Ｖｂｕｓと接地線との組み合わせにより構成された伝送回路により電流Ｉを流す。正極端データ線Ｄ＋と負極端データ線Ｄ−との組み合わせにより構成されたもう一つの伝送回路によりデータＤＡを伝送する。